(57)【要約】【課題】クロック信号間のクロスポイント電圧を所定の電圧レベル以上確保することを容易に実現することができる画像読取装置を提供すること。【解決手段】３ラインＣＣＤ１１１の第１相転送クロック、および２相転送クロックとして、入力容量がＭＡＸ（最大）１５０ｐＦ、ＴＹＰ（定格）１００ｐＦの端子を各８端子設ける。また、駆動ドライバとしてはＡＣＴ０４を使用しする。第１相転送クロック、および２相転送クロックの１端子に対してＡＣＴ０４を２個並列に接続して駆動する。ＡＣＴ０４の入力容量をＭＡＸ１０ｐＦとしてタイミング回路１１２の入力容量は１端子で駆動する場合、各端子は波形整形およびタイミング微調整用のコンデンサ４７ｐＦを含めてＭＡＸ１０×１６＋４７＝２０７ｐＦとなる。【選択図】　図１３
2004104495.tif 000002
【特許請求の範囲】
【請求項１】
原稿に光を照射する光源と、
前記光源によって照射された原稿の画像光をアナログ信号に変換する光電変換手段と、
を備えた画像読取装置において、
前記光電変換手段を動作させるための基準信号であり、画像転送用の第１相転送クロック信号、第２相転送クロック信号、および、最終段転送クロック信号からなるクロック信号を発生させるクロック信号発生手段を備え、
前記クロック信号発生手段は、前記第１相転送クロック信号、前記第２相転送クロック信号、および、前記最終段転送クロック信号毎に、パルスのデューティ比を所定の値だけずらして発生させることを特徴とする画像読取装置。
【請求項２】
前記クロック信号発生手段は、前記クロック信号の立ち上がり時間、または、立ち下がり時間のいずれか短い方を最大時間として、ｔ＝前記最大時間／２の期間だけ前記クロック信号のハイレベル期間を延長し、さらに、前記ｔの期間前記クロックのローレベル期間を短縮することを特徴とする請求項１記載の画像読取装置。
【請求項３】
前記クロック信号発生手段は、リセットクロック信号を発生させ、前記クロック信号および前記リセットクロック信号を、同一のＩＣ（半導体集積回路）パッケージ内に形成された回路を用いて発生させることを特徴とする請求項１または請求項２記載の画像読取装置。
【請求項４】
前記クロック信号発生手段は、リセットクロック信号およびクランプクロック信号を発生させ、前記最終段転送クロック信号、前記リセットクロック信号、および、前記クランプクロック信号を、同一のＩＣ（半導体集積回路）パッケージ内に形成された回路を用いて発生させることを特徴とする請求項１または請求項２記載の画像読取装置。
【請求項５】
前記光電変換手段は、ＣＣＤ（電荷結合素子）を備えていることを特徴とする請求項１、請求項２、請求項３、または、請求項４記載の画像読取装置。
【請求項６】
前記ＣＣＤは、複数ラインＣＣＤであることを特徴とする請求項１、請求項２、請求項３、請求項４、または、請求項５記載の画像読取装置。
【発明の詳細な説明】
【０００１】
【発明の属する技術分野】
本発明は、光電変換処理を行う際に、クロック信号を必要とする、スキャナ装置、デジタル複写機、デジタルカラー複写機、ファクシミリ装置、カラーファクシミリ装置などに搭載されている画像読取装置に関する。
【０００２】
【従来の技術】
近年、光電変換処理を実行して画像の読取を行う画像読取装置が搭載された、スキャナ装置、デジタル複写機、デジタルカラー複写機、ファクシミリ装置、カラーファクシミリ装置などが普及してきている。
それに伴い、光電変換処理回路内のクロック信号を駆動させる技術が発達してきている。
そして、特許文献１をはじめ、クロック信号を駆動させる技術について種々開示されている。
【特許文献１】
特開平１１−１７７７８３号公報
上記の特許文献１には、光電変換素子の出力タイミングを決定するクロック信号およびサンプルホールド信号を、同一の素子から供給する技術について開示されている。
【０００３】
ところで、光電変換処理回路内の基準信号となるクロック信号は、転送クロックＰＨ１、ＰＨ２、ＰＨ２Ｂから構成されている。そして、転送クロックＰＨ１とＰＨ２とは、互いに逆位相となっており、これらのクロック信号にはクロスポイント（交点）が発生するようになっている。光電変換処理においては、このクロスポイントの電圧が重要な要素となっている。クロスポイントの電圧を所定の電圧レベル以上確保することによって、正常な転送効率、ＰＲＮＵ（電荷の先送り現象）を実現することができる。
【０００４】
【発明が解決しようとする課題】
しかしながら、クロスポイントの電圧を所定の電圧レベル以上確保することができない場合には、転送効率の低下、ＰＲＮＵの悪化を引き起こすおそれがある。
そこで、本発明は、クロスポイントの電圧を所定の電圧レベル以上に確保することを容易に実現することができる画像読取装置を提供することである。
【０００５】
【課題を解決するための手段】
請求項１記載の発明では、原稿に光を照射する光源と、前記光源によって照射された原稿の画像光をアナログ信号に変換する光電変換手段と、を備えた画像読取装置において、前記光電変換手段を動作させるための基準信号であり、画像転送用の第１相転送クロック信号、第２相転送クロック信号、および、最終段転送クロック信号からなるクロック信号を発生させるクロック信号発生手段を備え、前記クロック信号発生手段は、前記第１相転送クロック信号、前記第２相転送クロック信号、および、前記最終段転送クロック信号毎に、パルスのデューティ比を所定の値だけずらして発生させることにより前記目的を達成する。
【０００６】
請求項２記載の発明では、請求項１記載の発明において、前記クロック信号発生手段は、前記クロック信号の立ち上がり時間、または、立ち下がり時間のいずれか短い方を最大時間として、ｔ＝前記最大時間／２の期間だけ前記クロック信号のハイレベル期間を延長し、さらに、前記ｔの期間前記クロックのローレベル期間を短縮することにより前記目的を達成する。
請求項３記載の発明では、請求項１または請求項２記載の発明において、前記クロック信号発生手段は、リセットクロック信号を発生させ、前記クロック信号および前記リセットクロック信号を、同一のＩＣ（半導体集積回路）パッケージ内に形成された回路を用いて発生させることにより前記目的を達成する。
【０００７】
請求項４記載の発明では、請求項１または請求項２記載の発明において、前記クロック信号発生手段は、リセットクロック信号およびクランプクロック信号を発生させ、前記最終段転送クロック信号、前記リセットクロック信号、および、前記クランプクロック信号を、同一のＩＣ（半導体集積回路）パッケージ内に形成された回路を用いて発生させることにより前記目的を達成する。
請求項５記載の発明では、請求項１、請求項２、請求項３、または、請求項４記載の発明において、前記光電変換手段は、ＣＣＤ（電荷結合素子）を備えていることにより前記目的を達成する。
請求項６記載の発明では、請求項１、請求項２、請求項３、請求項４、または、請求項５記載の発明において、前記ＣＣＤは、複数ラインＣＣＤであることにより前記目的を達成する。
【０００８】
【発明の実施の形態】
以下、本発明の好適な実施の形態について、図１ないし図１９を参照して詳細に説明する。
図１は、画像読取部を備えた画像形成装置の概略を示した図である。図２は、画像読取部を備えた画像形成装置の構成を示したブロック図である。
画像読取ユニット２は、光源によって照射された原稿を走査し、原稿からの反射光を３ラインＣＣＤ（光電変換素子）センサで画像データとして読み取る。画像読取ユニット２によって読み取られた画像データは、図２に示すように画像処理ユニット３に送出される。
【０００９】
画像処理ユニット３では、送られてきた画像データにスキャナγ補正、色変換、主走査変倍、画像分離、加工、エリア処理、階調補正処理などの画像処理を行い、各画像処理後の画像データを画像書込ユニット４へ送出する。
画像書込ユニット４では、ドラムユニット８の感光体ドラムに対して潜像を書き込むＬＤ（レーザーダイオード）の駆動を画像データに応じて変調する。
ドラムユニット８では、ＬＤからのレーザービームによって一様に帯電された回転する感光体ドラムに潜像を書き込み、現像ユニット１０がトナーを付着させて顕像化する。
【００１０】
感光体ドラム上に作られた画像は、中間転写部９の中間転写ユニットの中間転写ベルト上に再転写される。中間転写ベルト上にはフルカラーコピーの場合、Ｂｋ、Ｃ、Ｍ、Ｙ（ブラック、シアン、マゼンダ、イエロー）の４色のトナーが順次重ねられる。
フルカラーコピーの場合にはＢｋ、Ｃ、Ｍ、Ｙの４色の作像・転写工程が終了したとき、転写紙が中間転写ベルトのタイミングに合わせて給紙部１１から給紙され、紙転写部で中間転写ベルトからトナーが給紙された転写紙に対して４色同時に転写される。
トナーが転写された転写紙は、搬送部を経て定着部１２に送られ、定着ローラと加圧ローラによって画像が熱定着され排紙される。
【００１１】
ユーザは、コピーモードなどを操作部ユニット５によって選択入力し、設定することができる。設定されたコピーモードなどの操作モードは、システム制御ユニット１に送られる。
システム制御ユニット１では、設定されたコピーモードを実行するための制御処理を行う。このときシステム制御ユニット１は、画像読取ユニット２、画像処理ユニット３、画像書込ユニット４、画像表示ユニット７、複写機機構部６などの各ユニットに対して制御指示を行う。
【００１２】
図３は、画像表示ユニット７の構成を示したブロック図である。
画像表示ユニット７は、ＦＩＦＯ（ラインバッファ）２１、ＤＲＡＭ（画像データ格納用）２２、ＣＰＵ（中央演算処理装置）２３、ＶＲＡＭ（ビデオメモリ）２４、ＬＣＤＣ（液晶表示画面コントローラ）２５、ＬＣＤパネル２６、ＲＯＭ（リード・オンリ・メモリ）２７、ＳＲＡＭ（スタティック・ランダム・アクセス・メモリ）２８、通信ドライバであるシリアルレベル変換２９、画像データ信号バッファ（ドライバ／レシーバ）である画像データレベル変換３０よびキーボード３１を備えている。
画像処理ユニット３から出力された画像データは、図３に示すような画像表示ユニット７の各機能ブロックのうち、ＦＩＦＯ２１を介してＣＰＵ２３内蔵のＤＭＡ（ダイレクト・メモリ・アクセス）コントローラによって、画像データ格納用のＤＲＡＭ２２に格納される。
【００１３】
画像表示ユニット７には、画像データと共に画像データ制御信号もシステム制御ユニット１から送られているので、この画像データ制御信号のコマンドラインによって有効画像領域だけを取り込むように制御することもできる。
ＤＲＡＭ２２に格納された有効画像データは、ＣＰＵ２３によってＶＲＡＭ２４にＤＭＡ転送される。このときＣＰＵ２３によってＤＲＡＭ２２内の画像データの任意の部分を転送したり、拡大・縮小・間引きなどの処理をしたりすることもできる。
ＶＲＡＭ２４に転送された画像データは、ＬＣＤコントローラ２５の制御によりＬＣＤパネルに表示される。
図４は、画像表示ユニット７の一例を示した図である。
画像表示ユニット７は、画像をＬＣＤに表示させ、その画面内で編集・加工のエリア指定／モード設定を行うためのディスプレイエディタを兼用するようにしてもよい。図４の各設定キーは、図３の機能ブロック図においてはキーボード３１の部分に相当し、読取キーおよび明るさ調整キーを備えている。
【００１４】
図５は、操作部ユニット５の一例を示した図である。操作部ユニット５は、テンキー４１、モードクリア／予熱キー４２、割り込みキー４３、画質調整キー４４、プログラムキー４５、プリントスタートキー４６、クリア／ストップキー４７、エリア加工キー４８、輝度調整つまみ４９、ＬＣＤに配置されたタッチパネルキー５０および初期設定キー５１を備えている。
テンキー４１は、コピー枚数などの数値入力を行う場合に使用する。モードクリア／予熱キー４２は、設定したモードを取り消して初期設定に戻す場合や、一定時間以上の連続押下で予熱状態とする設定を行う。割り込みキー４３は、コピー中に割り込みして別の原稿のコピーを行う場合に使用する。
【００１５】
画質調整キー４４は、画質の調整を行うときに使用する。プログラムキー４５は、使用する率が高いモードの登録や呼出を行う場合に使用する。プリントスタートキー４６は、コピー開始のためのキーである。クリア／ストップキー４７は、入力した数値をクリアする場合や、コピー途中でコピーを中断する場合に使用する。エリア加工キー４８は、画像表示ユニット７上のエリア加工・編集などのモードを使用する場合に使用する。
輝度調整つまみ４９は、ＬＣＤパネルの画面の明るさを調整する。
また、タッチパネルキー５０は、ＬＣＤパネル上に表示された各種のキーの範囲と同じ範囲にキーエリアを設定して、タッチパネルが前記設定された範囲内の押下を検出すると、その設定されたキーの処理を行う。
初期設定キー５１は、ユーザが各初期設定を選択できる時に押下する。
【００１６】
図６は、ＬＣＤ（液晶表示画面）の一例を示した図である。
図６に示されるように、ＬＣＤ上でカラーモード、自動濃度、マニュアル濃度、画質モード、自動用紙選択、用紙トレイ、用紙自動変倍、等倍、ソート、スタックなどのモード選択表示があり、さらにクリエイトキー、カラー加工キー、両面キー、変倍キーなどのサブ画面選択表示もある。各表示の大きさと同様の大きさのキーがタッチパネル上に設定されている。
図７は、図６上の変倍キーが押下された場合の表示画面の一例を示した図である。
変倍キーが押下されると、画面下方から変倍設定画面がスクロールアップされる。変倍設定画面には、定型変倍（予め変倍率が設定されている変倍モード）用の定型変倍キーが設定されている。例えば、７１％の部分のタッチパネルキーを押下すると、変倍率７１％が選択される。また、この画面には定型変倍キー以外の変倍モードを選択するためのズームキー、寸法変倍キー、独立変倍／拡大連写キーが画面左側に設定されている。
【００１７】
図８は、タッチパネル検出回路の一例を表したものであり、図９は、Ｘ１、Ｘ２、Ｙ１、Ｙ２の設定状態を表した図である。
コントローラは、検出端子をＨｉｇｈ（ハイ）状態にして、Ｘ１、Ｘ２、Ｙ１、Ｙ２を図９に示すように設定する。Ｙ１、Ｙ２の回路は、抵抗でプルアップされているのでタッチパネルがオフのときには、Ｙ１が＋５Ｖになり、オンの時は０Ｖになる。
従って、Ａ／Ｄコンバータの出力からオン／オフの状態を確認する。コントローラは、タッチパネルがオンの状態を検知すると測定モードに切り換える。Ｘ方向の場合、Ｘ１は、＋５Ｖ、Ｘ２は０Ｖになり、入力位置の電位がＹ１を通してＡ／Ｄコンバータに接続されて座標が算出される。Ｙ方向の座標も回路を切り換えて同様に算出される。このような検出回路によって、タッチパネルの押下位置が検出される。
【００１８】
図１０は、操作部ユニットの構成を示したブロック図である。
ＣＰＵ２３からのアドレス信号は、アドレスラッチ５６に取り込まれ、ＣＰＵ２３からの信号によりコントロールされる。アドレスラッチ５６からのアドレス信号は、その一部がアドレスデコーダ５７に入り、ここで各ＩＣ（集積回路）へのチップセレクト信号が作られ、メモリマップの作成に使用される。また、アドレスは、ＲＯＭ５８ｂ、ＲＡＭ５９などのメモリやＬＣＤコントローラ２５に入りアドレス指定に使用される。
一方、ＣＰＵ２３からのデータバスは、ＬＣＤコントローラ２５やＬＣＤコントローラ２５を介してＲＯＭ５８ａ、ＲＡＭ５９などのメモリに接続され、データの双方向通信が行われる。
【００１９】
ＬＣＤコントローラ２５には、ＣＰＵ２３からのアドレスバス、データバスの他に、ＬＥＤドライバ６０、キーボード３１、タッチパネル（アナログ）６１、ＬＣＤモジュール６２、そして表示データ用のＲＯＭ５８ａ、ＲＡＭ５９が接続されている。
ＬＣＤコントローラ２５は、キーボード３１からの信号やタッチパネル６１からの信号によりＲＯＭ５８ａ、ＲＡＭ５９のデータから表示データを作成し、ＬＣＤ上への表示をコントロールする。また、ＣＰＵ２３には、光ファイバ用コネクタである光トランシーバ６３が接続されており、外部との通信を行っている。
【００２０】
図１１は、本実施の形態に係る画像読取装置のスキャナＩＰＵ（イメージ・プロセッシング・ユニット）制御部の構成を示したブロック図である。
スキャナＩＰＵ制御部上のＣＰＵ（中央演算処理装置）１０１は、ＲＯＭ（リード・オンリ・メモリ）１０２に格納されたプログラムを実行して、ＲＡＭ（ランダム・アクセス・メモリ）１０３にデータなどを読み書きしてスキャナＩＰＵ部の全体の制御を行っている。
また、ＣＰＵ１０１は、システム制御部１０４とシリアル通信で接続されており、コマンドおよびデータの送受信により指令された動作を行う。システム制御部１０４は、操作表示部１０５とシリアル通信で接続されており、ユーザがキー入力指示により動作モードなどの指示を設定することができる。
ＣＰＵ１０１は、Ｉ／Ｏ（インプット／アウトプット）１０６である原稿検知センサ、ＨＰセンサ、圧板開閉センサ、冷却ファンなどに接続されており、検知およびオン／オフの制御も行う。モータドライバ１０７は、ＣＰＵ１０１からのＰＷＭ（パルス幅変調）出力によりドライブされ、励磁パルスシーケンスを発生し、原稿走査駆動用のパルスモータ１０８を駆動する。
【００２１】
原稿画像は、ランプレギュレータ１０９に駆動されたハロゲンランプ１１０の光量出力により照射され、反射した光信号が複数ミラーおよびレンズを通り、３ラインＣＣＤ１１１（電荷結合素子）に結像される。３ラインＣＣＤ１１１は、スキャナＩＰＵ制御部上のタイミング回路１１２によって、各駆動クロックを与えられて各ＲＧＢ（レッド・グリーン・ブルー）のｏｄｄ（奇数）、ｅｖｅｎ（偶数）のアナログの画像信号をエミッタホロワ１１３〜１１５に出力する。
エミッタホロワ１１３〜１１５からアナログ処理回路１１６〜１１８へ入力された信号は、アナログ処理回路１１６〜１１８内で減算法を実行し、ＣＣＤのオプティカルブラック部でラインクランプを実施し、ｏｄｄとｅｖｅｎの出力差を補正し、それぞれのアンプゲインの調整を行う。ゲイン調整後はマルチプレクサで合成して、最終的にＤＣレベルのオフセット調整後にＡ／Ｄ（アナログ／デジタル）コンバータ１１９〜１２１へ入力される。
【００２２】
Ａ／Ｄコンバータ１１９〜１２１へ入力されたアナログ信号は、デジタル化されてシェーディング補正１２２へ入力される。シェーディング回路１２２では、照明系の光量不均一やＣＣＤの画素出力のバラツキを補正する。
シェーディング補正された画像データは、ライン間補正メモリ１２３、１２４へ入力されて、３ラインＣＣＤ１１１のＢとＧ、ＢとＲのライン数の画像データをメモリで遅延させて、ＢＧＲの読取画像の１ライン以上の位置合わせを行いドット補正１２５へ出力される。
ドット補正１２５では、ライン間補正メモリ１２３、１２４から出力された画像データをＲＧＢデータの１ライン以内ドットのズレを補正する。
スキャナγ補正１２６では、反射率リニアデータをルックアップテーブル方式で補正を行う。この補正後の画像データは、自動原稿色判定回路１２８と自動画像分離回路１２９とディレーメモリ１２７を介して、ＲＧＢフィルタ１３０ａ、色変換１３０ｂ、変倍処理１３０ｃ、クリエイト１３０ｄを備えた画像処理部１３０に入力される。
【００２３】
自動原稿色判定回路１２８では、ＡＣＳ（有彩／無彩判定）処理を自動画像分離回路（文字／網点）１２９の処理に入力して行う。ＡＣＳ処理では、黒および灰色の判定を行う。像域分離処理では、エッジ判定（白画素と黒画素の連続性により判定）、網点判定（画像中の山／谷ピーク画素の繰り返しパターンにより判定）、写真判定（文字・網点外で画像データがある場合）を行い、文字および印刷（網点）部、写真部の領域を判定してＣＰＵ１０１に伝え、ＲＧＢフィルタ１３０ａ、色変換プリンタγ補正、ＹＭＣＫフィルタ、階調処理でパラメータや係数の切り換えに使用される。
画像データは、ＲＧＢフィルタ１３０ａに入力される。ＲＧＢフィルタ１３０ａでは、ＲＧＢのＭＴＦ補正、平滑化、エッジ強調、スルーなどのフィルタ係数が先の判定領域により切り換え設定される。色変換処理１３０ｂでは、ＲＧＢデータからＹＭＣＫ変換、ＵＣＲ、ＵＣＡ処理を実行する。そして、変倍処理１３０ｃに入力され、主走査の画像データに対して拡大／縮小処理を実行する。画像表示部１３２の分岐は、この処理後に行われる。Ｉ／Ｆ（インタフェース）を介して画像表示部１３２に接続されている。
【００２４】
クリエイト１３０ｄでは、クリエイト編集、カラー加工を行う。クリエイト編集では斜体、ミラー、影付け、中抜き処理などを実行する。カラー加工では、カラー変換、指定色消去、アンダーカラーなどを実行する。
プリンタγ処理１３１ａ、ＹＭＣＫフィルタでは、先の判定領域に基づいてプリンタγ変換とフィルタ係数の設定する。書込処理１３１ｂでは、ディザ処理を実行し、ビデオコントロールでは書き込みタイミング設定や画像領域、白抜き領域の設定やグレースケールやカラーパッチなどのテストパターン発生を行うことができ、最終画像データを書き込み処理でＬＤ（レーザーダイオード）へ出力できるように処理してＬＤへ出力する。
各機能処理はＣＰＵ１０１に接続されており、ＲＯＭ１０２に格納されているプログラムにより、各処理の設定と動作がシステム制御部１０４の指示で実行される。
【００２５】
図１２は、タイミング回路１１２と３ラインＣＣＤ１１１との間にＣＣＤ駆動ドライバ部１３３を設けた画像読取装置のスキャナＩＰＵ制御部の構成を示したブロック図である。
タイミング回路１１２は、発振器からのクロックをＰＬＬ（位相ロックループ）回路の入力としてＣＰＵバスＩ／Ｆを介してレジスタの設定で分周器を設定して４逓倍クロックを発生する。このクロックを基に各種クロックが発生するようになっている。
タイミング回路１１２のＣＣＤクロック発生回路から、ＣＣＤを駆動する第１相転送クロック、第２相転送クロック、最終段転送クロック、リセットクロック、クランプクロック、シフトゲートクロックを発生してＣＣＤ駆動ドライバ部１３３へ入力される。
【００２６】
図１３は、ＣＣＤ駆動ドライバ部１３３および３ラインＣＣＤ１１１の詳細構成を示したブロック図である。
ここでは、３ラインＣＣＤ１１１の第１、２相転送クロックとして、入力容量がＭＡＸ（最大）１５０ｐＦ、ＴＹＰ（定格）１００ｐＦの端子を各８端子設けた例を示す。また、駆動ドライバとしてはＡＣＴ０４（東芝製）を使用している。
第１、２相転送クロックの１端子に対してＡＣＴ０４を２個並列に接続して駆動する必要がある。ＡＣＴ０４の入力容量をＭＡＸ１０ｐＦとしてタイミング回路１１２の入力容量は１端子で駆動する場合、各端子は波形整形およびタイミング微調整用のコンデンサ４７ｐＦを含めてＭＡＸ１０×１６＋４７＝２０７ｐＦとなる。
【００２７】
図１４は、ＣＣＤ駆動ドライバ部１３３にＡＣＴ０４のパッケージスキューがない場合の入出力のタイミングチャートを示した図である。
ドライバ入力（タイミング回路１１２出力）であるＸＰＨ１、ＸＰＨ２、ＸＰＨ２Ｂは、クロックＤｕｔｙ（デューティ）比５０：５０のＴ１：Ｔ１と等しくなっている。この信号がＡＣＴ０４の入力となり反転してドライバ出力としてＣＣＤを駆動する。ＣＣＤ入力転送クロックのＰＨ１、ＰＨ２、ＰＨ２Ｂで同様にＤｕｔｙ比５０：５０のＴ１：Ｔ１と等しくなっている。
この時のＰＨ１とＰＨ２とのクロスポイントは、ＰＨ１の立ち下がり、立ち上がりのどちらも２Ｖ以上であり、クロスポイントの規格値を満足している。同様に、ＰＨ１とＰＨ２Ｂとのクロスポイントも、ＰＨ１の立ち下がり、立ち上がりどちらも２Ｖ以上であり、クロスポイントの規格値を満足している。
【００２８】
図１５は、ＡＣＴ０４の伝搬遅延時間を示したグラフである。
このグラフに示すように、ＡＣＴ０４の伝搬遅延時間は、ロットＡ、Ｂ、Ｃにおいて温度により最大４ｎｓ程度のバラツキとなる。このロット間のバラツキは、ＡＣＴ０４のパッケージのバラツキとなる。
ＰＨ１（φ１Ａ）、ＰＨ２（φ２Ａ）、ＰＨ２Ｂ（φ２Ｂ）は、それぞれ異なるパッケージのＡＣＴ０４から駆動されているため、クロックスキューが発生する場合がある。
【００２９】
図１６は、ＣＣＤ駆動ドライバ部１３３にＡＣＴ０４のパッケージスキューがある場合の入出力のタイミングチャートを示した図である。
ドライバ出力であるＰＨ１とＰＨ２とのスキューＴｓ１、ＰＨ１とＰＨ２ＢとのスキューＴｓ２のスキューが発生した場合、このＴｓ１、Ｔｓ２の値が大きい場合には、ＰＨ１とＰＨ２、ＰＨ１とＰＨ２ＢのどちらもＰＨ１の立ち下がりでクロスポイントが２Ｖ以下となり規格を満足できない。そのため、転送効率の低下、ＰＲＮＵの悪化をまねいてしまう。
次に、このような場合にも規格を満たすことができる方法について説明する。ここでは、クロスポイントの確保を容易にすること、上記のドライバＩＣのパッケージの伝搬遅延時間のバラツキ、その他タイミング回路１１２でのバラツキ等があってもタイミング回路１１２の転送クロックのＤｕｔｙを僅かにずらすこと、により確実にクロスポイントを確保する方法について説明する。
【００３０】
図１７は、タイミング回路１１２の内部信号および外部信号のタイムチャートを示した図である。
転送クロックＤｕｔｙ変更方法について図１７を参照しながら説明する。
１の信号（基準信号）は、Ｄｕｔｙ５０：５０のＴ１：Ｔ１の信号である。この１の信号からディレー時間Ｔｄ１だけ遅らせた２の信号（基準信号＋Ｔｄ１）を作成し、１と２の信号より論理積を取ることで、ＸＰＨ１を作成する。
同様に１と２の信号をインバートした信号の論理積を取ることで４の信号（ＸＰＨ２、ＸＰＨ２Ｂ）を作成する。
このようにして、Ｄｕｔｙ（Ｔ１−Ｔｄ１）：（Ｔ１＋Ｔｄ１）の転送クロックを作り出す。
【００３１】
図１８は、タイミング回路１１２のクロックＤｕｔｙを変更時における、ＣＣＤ駆動ドライバ部１３３にＡＣＴ０４のパッケージスキューがない場合の入出力のタイミングチャートを示した図である。
タイミング回路出力と同様に、ＣＣＤ入力転送クロックのＤｕｔｙは、（Ｔ１−Ｔｄ１）：（Ｔ１＋Ｔｄ１）となっている。
クロスポイントも通常時に比べてより高い電圧においてクロスポイントを迎えることができるため余裕度が拡がっている。
【００３２】
図１９は、タイミング回路１１２のクロックＤｕｔｙを変更時における、ＣＣＤ駆動ドライバ部１３３にＡＣＴ０４のパッケージスキューがある場合の入出力のタイミングチャートを示した図である。
ドライバ出力のＰＨ１とＰＨ２とのスキューＴｓ１、ＰＨ１とＰＨ２ＢとのスキューＴｓ２のスキューが発生した場合、このＴｓ１とＴｓ２との値は、図１６に示すスキュー量と同じである。
図１９のクロスポイントの状況を見て分かるとおり、ＰＨ１とＰＨ２、ＰＨ１とＰＨ２ＢのどちらもＰＨ１の立ち下がりでクロスポイントが２Ｖ以上となりＣＣＤの規格を満足している。スキューが生じても転送効率の低下、ＰＲＮＵの悪化をまねくことがない高信頼で高安定な読取を実現できる。
【００３３】
また、ここで、クロスポイントは転送クロックの立ち上がり、立ち下がり時間を等しいと仮定すると、クロックＤｕｔｙのずらし量は、Ｈレベル期間を立ち下がり、立ち上がり時間分だけ長くする時に、一方向の余裕度が最大となる。逆方向は余裕度無しになっているので、立ち下がり、立ち上がり時間の半分の時間だけ長くすることにより、遅れ進みのスキューに対しての余裕度が最大となる。
なお、クロックＤｕｔｙのずらし量は、立ち下がり、立ち上がり時間の１／２のスキューまで許容できる。
【００３４】
本実施の形態によれば、最終段転送クロック（ＰＨ２Ｂ）、リセットクロック（ＲＳ）、クランプクロック（ＣＰ）を同一パッケージ内にすることで最終段転送クロックにおけるスキューを最小限に止めることができる。
また、本実施の形態によれば、本発明は複数ラインＣＣＤのＣＣＤ駆動容量を減少させることができる。
さらに、本実施の形態によれば、高速読取においてＣＣＤの出力期間が充分に確保できていない場合において、パッケージ間のバラツキの影響を小さくすることにより高信頼で安定した画像の読取処理を実現することができる。
【００３５】
以上、本発明の画像読取装置における実施形態について説明したが、本発明は説明した実施形態に限定されるものではなく、各請求項に記載した範囲において各種の変形を行うことが可能である。
例えば、説明した実施形態では、６回路入りのＡＣＴ０４をＣＣＤ駆動ドライバとして示したが、８回路入りのＡＣＴ０４（例えばＬＶ２４４等）を使用しても実現することが可能である。
【００３６】
【発明の効果】
請求項１記載の本発明によれば、第１相転送クロック信号、第２相転送クロック信号、および、最終段転送クロック信号毎に、パルスのデューティ比をずらすことにより、各クロック信号間のクロスポイントのレベルを、適正値に確保することができる。
請求項２記載の本発明によれば、クロック信号のハイレベルおよびローレベルの期間を調節することにより、各クロック信号間のクロスポイントのレベルを、より確実に適正値に確保することができる。
請求項３記載の本発明によれば、同一のＩＣパッケージ内に形成された回路を用いてクロック信号を発生させることより、個体間のリセット不良を低減することができる。
【００３７】
請求項４記載の本発明によれば、パッケージ間の遅延時間のバラツキを解消することにより、個体間のクランプ領域の増減を抑制することができる。
請求項５記載の本発明によれば、ＣＣＤを採用することにより、縮小光学系が可能となり、焦点深度が得られるため、原稿浮きの発生した場合やある程度の立体物の読取を行う場合にも焦点ボケを起こすことなく読取処理を実行することができる。
請求項６記載の本発明によれば、複数ラインＣＣＤを採用することにより、読取処理の質を向上させることができる。
【図面の簡単な説明】
【図１】本実施の形態に係る画像読取部を備えた画像形成装置の概略を示した図である。
【図２】本実施の形態に係る画像読取部を備えた画像形成装置の構成を示したブロック図である。
【図３】本実施の形態に係る画像表示ユニットの構成を示したブロック図である。
【図４】画像表示ユニットの一例を示した図である。
【図５】操作部ユニットの一例を示した図である。
【図６】ＬＣＤ（液晶表示画面）の一例を示した図である。
【図７】変倍キーが押下された場合の表示画面の一例を示した図である。
【図８】タッチパネル検出回路の一例を表した図である。
【図９】Ｘ１、Ｘ２、Ｙ１、Ｙ２の設定状態を表した図である。
【図１０】本実施の形態に係る操作部ユニットの構成を示したブロック図である。
【図１１】本実施の形態に係る画像読取装置のスキャナＩＰＵ制御部の構成を示したブロック図である。
【図１２】タイミング回路と３ラインＣＣＤとの間にＣＣＤ駆動ドライバ部を設けた画像読取装置のスキャナＩＰＵ制御部の構成を示したブロック図である。
【図１３】ＣＣＤ駆動ドライバ部および３ラインＣＣＤの詳細構成を示したブロック図である。
【図１４】ＣＣＤ駆動ドライバ部にＡＣＴ０４のパッケージスキューがない場合の入出力のタイミングチャートを示した図である。
【図１５】ＡＣＴ０４の伝搬遅延時間を示したグラフである。
【図１６】ＣＣＤ駆動ドライバ部にＡＣＴ０４のパッケージスキューがある場合の入出力のタイミングチャートを示した図である。
【図１７】タイミング回路の内部信号および外部信号のタイムチャートを示した図である。
【図１８】タイミング回路のクロックＤｕｔｙを変更時におけるＣＣＤ駆動ドライバ部にＡＣＴ０４のパッケージスキューがない場合の入出力のタイミングチャートを示した図である。
【図１９】タイミング回路のクロックＤｕｔｙを変更時におけるＣＣＤ駆動ドライバ部にＡＣＴ０４のパッケージスキューがある場合の入出力のタイミングチャートを示した図である。
【符号の説明】
１０１　ＣＰＵ（中央演算処理装置）
１０２　ＲＯＭ（リード・オンリ・メモリ）
１０３　ＲＡＭ（ランダム・アクセス・メモリ）
１０４　システム制御部
１０５　操作表示部
１０６　Ｉ／Ｏ（インプット／アウトプット）
１０７　モータドライバ
１０８　パルスモータ
１０９　ランプレギュレータ
１１０　ハロゲンランプ
１１１　３ラインＣＣＤ（光電変換素子）
１１２　タイミング回路
１１３〜１１５　エミッタホロワ（Ｒ、Ｇ、Ｂ用）
１１６〜１１８　アナログ処理回路（Ｒ、Ｇ、Ｂ用）
１２８　自動原稿色判定回路
１２９　自動画像分離回路
【図１】
2004104495.tif 000003
【図２】
2004104495.tif 000004
【図３】
2004104495.tif 000005
【図４】
2004104495.tif 000006
【図５】
2004104495.tif 000007
【図６】
2004104495.tif 000008
【図７】
2004104495.tif 000009
【図８】
2004104495.tif 000010
【図９】
2004104495.tif 000011
【図１０】
2004104495.tif 000012
【図１１】
2004104495.tif 000013
【図１２】
2004104495.tif 000014
【図１３】
2004104495.tif 000015
【図１４】
2004104495.tif 000016
【図１５】
2004104495.tif 000017
【図１６】
2004104495.tif 000018
【図１７】
2004104495.tif 000019
【図１８】
2004104495.tif 000020
【図１９】
2004104495.tif 000021